(57)【特許請求の範囲】
【請求項１】
長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記堰は、円筒体の一部を切除した導入路を備えた形をしているとともに、前記円筒の中心に対応する堰両端の水平軸状の支点を介して前後に回転運動可能に支持され、同堰の外周面とトラフ間は密閉状にされ、前記導入路が斜めになることでスカム水の流入が堰き止められる一方、導入路が水平方向に回転することでスカム水をトラフ内に導入するように構成されているスカム除去装置。
【請求項２】
請求項１において、堰の支点は、トラフ外に位置するスカム除去装置。
【請求項３】
請求項１において、堰の支点は、トラフ内に位置するスカム除去装置。
【請求項４】
長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記堰は、支点を開口に位置して前後に揺動可能とされ、同堰を平行リンク機構の１つのリンクとし他のリンクを長いリンクとする平行リンク機構により前記堰が揺動可能に構成されているスカム除去装置。
【請求項５】
長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記開口は、トラフの上面に開けられ、同開口に上下運動により開閉可能に堰が設けられているスカム除去装置。
【請求項６】
長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記トラフの前部には、ガイド部が形成され、同ガイド部には、堰を上下運動させるガイドローラーが配されているスカム除去装置。
【請求項７】
長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記堰はガイドローラーでトラフ内で上下運動可能にされているとともに、トラフの底部空間がスカム水の流路になっているスカム除去装置。
【請求項８】
請求項１から７までのいずれかにおいて、駆動手段は、沈澱池内で循環駆動されるフライトの動力を利用するものになっているスカム除去装置。
【発明の詳細な説明】
【０００１】
【発明の属する技術分野】
この発明は、沈澱池等の水面に浮遊するスカムを回収除去するためのスカム除去装置に関する。
【０００２】
【従来の技術】
最初あるいは最終沈澱池の水面上には、スカムが浮遊し、これを常時除去する必要がある。そのため、円筒状のスカムスキーマーを両端回転支持状態で装備し、同スキーマーの開口を前に回転させることでスカムを呑み込むようにされ、開口を上に戻すことでスカムの呑み込みを停止させるものがあったが、このものは、両端支持方式であるため、回転作動しにくい問題があった。
【０００３】
そのため、本出願人は、トラフを固定設置し、同トラフに形成した開口を水面以下に設定するとともに、同開口に堰を備え付けたものがある。この場合の堰は、断面が長円筒状でその基部の左右両端に備えた回転軸により前後に揺動運動可能になっている。この堰は、沈澱池内で循環運動可能なフライトの動力を利用して駆動手段を介して上下されるようになっているとともに、堰が、水面下の開口下縁を基部にして前方斜め上方にある時を堰き止め状態とし、その姿勢から下向きに下がった状態を呑み込み状態とするものである。
【０００４】
【発明が解決しようとする課題】
ところで、こうしたスカム除去装置は、堰に下方から水圧がかかるため、押し下げる際の力がかなり必要である一方、一旦水面下に没すると、その上面をスカム水が流れて水圧がかかるため、浮上するにも容易ではなかった。
この発明は前記課題を解決するためになされたもので、堰を水圧に影響されず円滑で軽快に駆動できるようにすることを目的とする。
【０００５】
【課題を解決するための手段】
前記課題を解決するため、請求項１記載の発明は、長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記堰は、円筒体の一部を切除した導入路を備えた形をしているとともに、前記円筒の中心に対応する堰両端の水平軸状の支点を介して前後に回転運動可能に支持され、同堰の外周面とトラフ間は密閉状にされ、前記導入路が斜めになることでスカム水の流入が堰き止められる一方、導入路が水平方向に回転することでスカム水をトラフ内に導入するように構成されている。
【０００６】
請求項２記載の発明は、請求項１において、堰の支点は、トラフ外に位置する。
【０００７】
請求項３記載の発明は、請求項１において、堰の支点は、トラフ内に位置する。
【０００８】
請求項４記載の発明は、長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記堰は、支点を開口に位置して前後に揺動可能とされ、同堰を平行リンク機構の１つのリンクとし他のリンクを長いリンクとする平行リンク機構により前記堰が揺動可能に構成されている。
【０００９】
請求項５記載の発明は、長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記開口は、トラフの上面に開けられ、同開口に上下運動により開閉可能に堰が設けられている。
【００１０】
請求項６記載の発明は、長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記トラフの前部には、ガイド部が形成され、同ガイド部には、堰を上下運動させるガイドローラーが配されている。
【００１１】
請求項７記載の発明は、長尺状で開口を有し沈澱池等の水面以下に前記開口が位置するようにして固定して設置され水面上のスカムおよび多少の水でなるスカム水を受け入れ長手方向に流して処理するトラフと、同トラフの開口を開閉する堰と、同堰を駆動する駆動手段とを備えたスカム除去装置において、前記堰はガイドローラーでトラフ内で上下運動可能にされているとともに、トラフの底部空間がスカム水の流路になっている。
【００１２】
請求項８記載の発明は、請求項１から７までのいずれかにおいて、駆動手段は、沈澱池内で循環駆動されるフライトの動力を利用するものになっている。
【００１３】
【発明の実施の形態】
以下、図示した実施形態を参照してこの発明を詳細に説明する。
図１および図２はその好適な一実施形態を示し、１は沈澱池の水面で、同水面１内には、汚泥掻寄装置の一部である回転シャフト２と、それに装着されたスプロケット３が設けられ、スプロケット３にはチェーン４が掛けられるとともに、同チェーン４には、多数のフライト５…が配備されて図の矢印方向に駆動されるようになっている。
【００１４】
沈澱池７の左右には側壁８，８が形成されており、これらを介して左右１対の連通トラフ９が挿通固定されている。同連通トラフ９は四角な筒体で、その両端にはフランジ１０が設けられている。
【００１５】
１２はトラフで、四角な筒樋状でその前側が水面１よりも低い開口１３になっている。同トラフ１２の両端には、前記フランジ１０にボルトナット（図示省略）により着脱自在とされるフランジ１４が設けられている。このフランジ１４には、図２に側面図を示すように、中段から前向きに突出する側面部１４ａがシール受部として形成されている。
【００１６】
１６は堰で、同堰１６は、円筒体を３〜４割程度切り取ったものを本体１７とし、その上面に流路板１８を溶接して形成されている。流路板１８の前端からは前向きの堰板１９が突設されるとともに、堰１６の両端には、円板である側板２０が溶接固着されている。堰１６の両端には、支点になる回転軸２１が突設され、同回転軸２１は、堰１６の本体１７の中心に位置している。
【００１７】
回転軸２１は、フランジ１４の側面部１４ａ外面に設けられた軸受２２に挿通支持されている。回転軸２１のトラフ１２内への端部に板を備えておき、同板を側板にボルト止めして脱着自在にしてもよい。
【００１８】
堰１６の両端と側板部１４ａとの間には、スポンジやゴムなどによる側面シール２３が設けられており、同シール２３は、堰１６側あるいは側板部１４ａ側のいずれかに固着される。トラフ１２の開口下縁部には、堰１６の外周面に接触して水の浸入を阻止する前面シール２４が装着されている。このシール２４は、図２に仮想線で示すように、堰１６に下端から接触するものでもよい。
【００１９】
堰１６の前面一側からは連動リンク２６が突設され、フライト５からの動力を受けて上下に連動するようになっている。すなわち、駆動手段は、フライト５に設けられたローラー２８と、同ローラー２８の移動軌跡上にある倣いカム２９と、同倣いカム２９を取り付けるための作動アーム３０とを備える。作動アーム３０は、一方の側壁８から突出した軸受筒３１に回転自在に挿通した中間軸３２に中間部を回転自在に支持されている。
【００２０】
作動アーム３０の前端には、前記倣いカム２９が取り付けられているが、図１の矢印のように前後に移動調節可能にしてもよい。また、図２の仮想線のように、ウエイト３３を備えて、これも前後に移動調節可能にしたり、その重量を増減可能にしてもよい。尚、３４はストッパで、作動アーム３０が水平に復帰した状態を維持する。
【００２１】
作動アーム３０の後端には、前記連動リンク２６に下端が結合された連動ロッド３５の上端が結合されている。尚、ローラー２は、フライト５の凹欠内に設けられているが、フライト５の端部側方に突き出すように備えてもよい。これは公知の方法である。
【００２２】
フライト５は矢印の方向に緩徐に駆動され、水面のスカムをスカム除去装置の方向に掻き寄せる。同フライト５に取り付けられたローラー２８は倣いカム２９を押し上げることにより作動アーム３０の先端側が持ち上がり後端側が下がる。これにより、連動ロッド３５と連動リンク２６を介して堰１６が前下がり式に回転される。
【００２３】
それまで水面１上に突出してスカムの呑み込みを規制していた堰板１９は、堰１６の回転とともに水面１下に徐々に下がってくる。これにより、水面上のスカムはトラフ１２内に流入し、連通トラフ９を通じて隣合う次のトラフ内に流れ込み、更に続く連通トラフおよびトラフを通じて流れて最終的にスカムピット内に流れ込んで次の処理工程に移送される。
【００２４】
ローラー２８が倣いカム２９の中間を通過すると、堰１６は逆回転して復帰し始め、堰板１９が水面１上に浮上することによりスカムの呑み込みが停止される。堰１６は、回転軸２１で両端が支持されており、しかも、同回転軸２１は堰１６の中心にあるので、堰１６の浮沈運動は円滑で軽快になる。尚、駆動手段は、図２に仮想線で示すようにシリンダ３６にしたり、同ブロックの中に水を供給してその重さで堰を回転させるようなものでもよい。復帰はバネにしてもよい。また、図２に仮想線で示すように、堰１６から下向きにアーム３７を延ばしてその先端のローラ−３８がフライト５で蹴られるようにしてもよい。この場合、アーム３７は長ナット３９により長さ調節可能にしておく。
【００２５】
図１に示す実施形態は、堰１６の支点（回転軸２１）が開口１３よりも前寄りに位置していたが、図３に示す実施形態のように、トラフ１２内に位置するものでもよい。また、トラフ１２は、図７に示すような円筒型で固定式のものでもよい。
【００２６】
図４に示す実施形態は、四角形（あるいは丸形でもよい）のトラフ４１の開口４２に備えた回転軸４３に前後に揺動可能な板状の堰４４を備え付け、同堰４４が平行リンク機構の１つになるようにして他のリンク４５とともに平行リンク機構４６を構成してある。リンク４５は、前向きに長く伸びてその先端に力が作用すると堰４４に大きな力が作用して軽快に上下揺動するようにしてある。
【００２７】
駆動手段も図２に示すような各種方式が採られるが、図示の場合、作動アーム４７にリンク４５を結合して堰４４にかかる力が倍増するようにしてある。尚、作動アーム４７の中間軸を境にして前側が長く後側が短くして大きな力が発生するようにしてある。尚、リンク４５は、堰４１の上側に配してもよい。また、堰４１は中空状にしてもよい。
【００２８】
図５に示す実施形態は、上面を有する規格品の四角筒状のトラフ４８を使用し、その上面４９に開口５０を開けて長手方向に長く形成したものであり、同開口５０の前後縁部に沿ってゴム等によるシール５１を備え付けるとともに、こうしたシール５１付の開口５０を開閉するためのバルブ状堰５２を配してある。この堰５２は、この実施形態では半円筒で上蓋を備えた長尺状のものになっている。同堰５２は、平行リンク機構５３で上下運動可能に支持され、その１つのリンクが長く前方に延びてその作動アーム５４の先端に倣いカム５５が設けられている。ローラー２８が倣いカム５５を持ち上げると、平行リンク機構５３を介して堰５２を持ち上げ、開口５０を開き始める。シール５１は、水面１より５０ｍｍ前後下がったところに上面がくるようにかなり上位置に設定してあるので、呑み込む水は少なくスカムの方を多く呑み込むようになる。倣いカム５５はウエイトとしても機能するので、ローラー２８が倣いカム５５を通過すると、作動アーム５４を介して平行リンク機構５３を下げ、堰５２はシール５１に密着して閉止するようになる。作動アーム５４用のストッパを別に備えてもよい。
【００２９】
尚、仮想線のように、堰５２は開口５０の下側に配してもよい。また、前記実施形態では、作動アーム５４のみにして平行リンク機構を採用しなくてもよい。
【００３０】
図６に示す実施形態は、トラフ５７を図５に示すものに比較して前後に短くしたもので、図示のように上下に長くすることもできる。
【００３１】
図７に示す実施形態は、トラフ５９を円筒形にしたものである。図８に示す実施形態は、ヒンジ６１に取り付けられた蓋式の堰６２を構成したものである。尚、同図に仮想線で示すように、三角形のトラフ６３にしてもよい。これは他の実施形態にも採用できる。図９に示すように、２つ折れ式の堰６５にしてもよい。
【００３２】
図１０に示す実施形態は、円筒形で固定式のトラフ７０の前側上部に開口７１を形成し、同開口７１を開閉するように回転ヒンジ式の堰７２を備え付けたものであり、更に、開口７１の下部から前方に向けて前上がりあるいは水平に誘引ガイド板７３を設けたもので、同ガイド板７３の先端には、フロート７４を備えて前後のヒンジ７５によりガイド板７３が上下するようにしてある。誘引ガイド板７３はフロート７４によりその先端の深さは一定に維持され、堰７２が駆動手段で開かれると、水面上のスカムのみを呑み込む。堰７２が閉止することで呑み込みが停止される。水位が変位するとフロート７４は上下し、これにガイド板７３が追従してゆくので、常に一定の深さａを保ってスカムのみを呑み込むようになる。尚、ガイド板７３は長尺状になっている。
【００３３】
図１１に示す実施形態は、堰なしで、ガイド板７７を折り曲げることで堰を構成したものである。同ガイド板７７の中間部は駆動手段に連結されて持ち上げられる。そうすると、仮想線のように山形になって堰き止めるようになり、同ガイド板７７を下げるとスカムを呑み込むようになる。
【００３４】
図１２に示す実施形態は、同様のトラフ７０の開口７１に、ゴムあるいは軟質樹脂製の堰７９を備え付けたものである。この堰７９は仮想線のように開口７１の内側に配してもよい。
【００３５】
図１３に示す実施形態は、誘引ガイド板８１をゴムあるいは軟質樹脂製として上向きに折り曲げ可能にしたもので、同ガイド板８１自体が持ち上げ時に堰になる。ガイド板８１の中間をヒンジで接続してもよい。
【００３６】
図１４に示す実施形態は、四角形のトラフ８３の前面外部でなく内部にガイドローラー８４の昇降する空間８５を形成したもので、同空間８５は、逆Ｌ形断面をした区画部材８６をトラフ８３内に溶接することで形成されている。区画部材８６はトラフ８３と同じく長尺状のもので、その上面にはトラフ８３の開口８７との間にスリットが形成され、同スリットにシール８８を備え付けてガイドローラー８４側に取り付けられた堰８９を上方突出状にしたもので、この場合の堰８９は垂直に昇降するが、ガイド部が水中にあるのでなくトラフ８３内にあるので水圧がかからず、上方に突出するごく一部のみが水圧を受けるので、軽快な作動が約束される。尚、仮想線のように水が出入りするようにしてもよい。
【００３７】
図１５に示す実施形態は、シールのしかたについてのもので、伸縮自在なゴムブーツをシール９１にしたのである。図１６に示す実施形態は、堰９３を前側外部に屈曲状に延ばし、トラフ９４の前面上端にシール９５を配したものである。
【００３８】
図１７に示す実施形態は、前後に短く上下に長い形状にしたトラフ９７の底部空間をスカム水の流路９８として確保し、同トラフ９７の上部を開放するとともに、一側に流入用の開口９９を形成したもので、トラフ９７内の上部には、トラフ壁を利用してガイドローラー１００が上下運動自在とされるとともに、同ローラー板１０１を左右に配し、これの間に垂直上下する堰１０２を配したものである。開口９９と堰１０２との間にはシール１０３が設けられている。尚、仮想線のように、トラフ９７の後壁も低くして後側にも同様の構成をしてもよい。駆動手段は前記したいずれも採用できる。
【００３９】
【発明の効果】
この発明は以上のように構成されているので、堰を水圧に影響されず円滑で軽快に駆動できる。
【図面の簡単な説明】
【図１】この発明の一実施形態であるスカム除去装置の平面図。
【図２】同装置の側断面図。
【図３】他の実施形態を示す側断面図。
【図４】平行リンク機構式のスカム除去装置を示す側断面図。
【図５】トラフ上に堰を備えた実施形態を示す側断面図。
【図６】トラフ上に堰を備えた他の実施形態を示す側断面図。
【図７】トラフ上に堰を備えた他の実施形態を示す側断面図。
【図８】トラフ上に堰を備えた他の実施形態を示す側断面図。
【図９】トラフ上に堰を備えた他の実施形態を示す側断面図。
【図１０】誘引ガイド板を備えた実施形態を示す側断面図。
【図１１】誘引ガイド板を備えた他の実施形態を示す側断面図。
【図１２】誘引ガイド板を備えた他の実施形態を示す側断面図。
【図１３】誘引ガイド板を備えた他の実施形態を示す側断面図。
【図１４】垂直駆動式堰を備えた実施形態を示す側断面図。
【図１５】同シールについての他の実施形態を示す側断面図。
【図１６】同堰の他の実施形態を示す側断面図。
【図１７】トラフ内でガイドローラーを昇降させる実施形態を示す側断面図。
【符号の説明】
１…水面  ５…フライト  ７…沈澱池  １２，４１，４８，５７，５９，６３，７０，８３，９４，９７…トラフ  １６，４４，４８，５２，５７，５９，６２，６５，７２，７９，８９，９３，１０２…堰。
【図１】
0003713605.tif 000002
【図２】
0003713605.tif 000003
【図３】
0003713605.tif 000004
【図４】
0003713605.tif 000005
【図５】
0003713605.tif 000006
【図６】
0003713605.tif 000007
【図７】
0003713605.tif 000008
【図８】
0003713605.tif 000009
【図９】
0003713605.tif 000010
【図１０】
0003713605.tif 000011
【図１１】
0003713605.tif 000012
【図１２】
0003713605.tif 000013
【図１３】
0003713605.tif 000014
【図１４】
0003713605.tif 000015
【図１５】
0003713605.tif 000016
【図１６】
0003713605.tif 000017
【図１７】
0003713605.tif 000018